(57)【特許請求の範囲】
【請求項１】
光源と、前記光源からの光を反射する平面状の反射面を有する反射部材と、所定の第１方向を回動の軸方向として前記反射部材を回動させる第１回動機構と、前記第１方向に略直交する方向である第２方向を回動の軸方向として前記反射部材を回動させる第２回動機構とを備え、
前記第１回動機構は、第１駆動用磁石と第１駆動用コイルとを備える磁気駆動機構であり、
前記第２回動機構は、第２駆動用磁石と第２駆動用コイルとを備える磁気駆動機構であり、
前記第１方向は、前記反射面の法線方向に略直交する方向であり、
前記第２方向は、前記光源の光軸方向に略直交する方向であり、
前記第１駆動用磁石と前記第１駆動用コイルとは、前記第１方向と前記第２方向とに略直交する方向である第３方向で対向し、
前記第２駆動用磁石と前記第２駆動用コイルとは、前記第２方向で対向し、
前記第１回動機構と前記第２回動機構とは、前記第２方向および前記第３方向において互いにずれていることを特徴とする照明装置。
【請求項２】
前記第１方向を回動の軸方向とする前記反射部材の回動が可能となるように前記反射部材を保持する支持体と、前記第２方向を回動の軸方向とする前記支持体の回動が可能となるように前記支持体を保持する保持体とを備えることを特徴とする請求項１記載の照明装置。
【請求項３】
前記第１駆動用磁石は、前記反射部材に取り付けられ、
前記第１駆動用コイルおよび前記第２駆動用磁石は、前記支持体に取り付けられ、
前記第２駆動用コイルは、前記保持体に取り付けられていることを特徴とする請求項２記載の照明装置。
【請求項４】
前記第１方向を回動の軸方向とする前記反射部材の回動中心である第１回動中心の軸線は、前記反射部材を通過することを特徴とする請求項１から３のいずれかに記載の照明装置。
【請求項５】
前記第１回動中心の軸線は、前記反射部材の略中心を通過することを特徴とする請求項４記載の照明装置。
【請求項６】
前記第２方向を回動の軸方向とする前記反射部材の回動中心である第２回動中心の軸線は、前記反射部材を通過することを特徴とする請求項１から５のいずれかに記載の照明装置。
【請求項７】
前記第２回動中心の軸線は、前記反射部材の略中心を通過することを特徴とする請求項６記載の照明装置。
【請求項８】
前記支持体に対する前記反射部材の原点位置へ前記反射部材を付勢する第１付勢部材と、前記保持体に対する前記支持体の原点位置へ前記支持体を付勢する第２付勢部材とを備えることを特徴とする請求項２または３記載の照明装置。
【請求項９】
前記反射部材には、前記第１方向の両側へ突出して前記支持体に回動可能に支持される第１支持軸が形成され、
前記第１付勢部材は、前記第１支持軸が挿通されるとともに、その一端側が前記反射部材に係合し、かつ、その他端側が前記支持体に係合するネジリコイルバネであることを特徴とする請求項８記載の照明装置。
【請求項１０】
前記保持体には、前記支持体を回動可能に支持する第２支持軸が形成され、
前記第２付勢部材は、その中間部分が前記第２支持軸に保持され、その両端側が前記支持体に係合する板バネであることを特徴とする請求項８または９記載の照明装置。
【請求項１１】
前記光源と前記反射部材との間に配置されるレンズと、前記レンズを前記光軸方向へ移動させる直動機構とを備え、
前記直動機構は、第３駆動用磁石と第３駆動用コイルとを備える磁気駆動機構であることを特徴とする請求項１から１０のいずれかに記載の照明装置。
【発明の詳細な説明】
【技術分野】
【０００１】
本発明は、携帯電話等のカメラ付きの携帯機器に搭載される比較的小型の照明装置に関する。
【背景技術】
【０００２】
従来、携帯電話等のカメラ付きの携帯機器に搭載されるＬＥＤ装置が知られている（たとえば、特許文献１参照）。特許文献１に記載のＬＥＤ装置は、ＬＥＤ（Ｌｉｇｈｔ  Ｅｍｉｔｔｉｎｇ  Ｄｉｏｄｅ）を有するＬＥＤユニットと、ＬＥＤの光軸方向へＬＥＤユニットを駆動する駆動機構とを備えている。駆動機構は、駆動源となるステッピングモータと、ＬＥＤユニットに係合してＬＥＤの光軸方向へＬＥＤユニットを移動させるＬＥＤユニット駆動カムとを備えている。このＬＥＤ装置では、ステッピングモータが駆動すると、ＬＥＤユニット駆動カムが回動して、ＬＥＤの光軸方向へＬＥＤユニットが移動する。
【先行技術文献】
【特許文献】
【０００３】
【特許文献１】特開２００８−１８５８１６号公報
【発明の概要】
【発明が解決しようとする課題】
【０００４】
特許文献１に記載のＬＥＤ装置では、上述のように、ＬＥＤの光軸方向へＬＥＤユニットを移動させることができる。すなわち、このＬＥＤ装置では、ＬＥＤをその光軸方向へ移動させて、ＬＥＤからの光の指向性を変えることができる。しかしながら、このＬＥＤ装置では、ＬＥＤからの光を任意の方向へ照射することはできない。
【０００５】
そこで、本発明の課題は、光源からの光を任意の方向へ照射することが可能な照明装置を提供することにある。
【課題を解決するための手段】
【０００６】
上記の課題を解決するため、本発明の照明装置は、光源と、光源からの光を反射する平面状の反射面を有する反射部材と、所定の第１方向を回動の軸方向として反射部材を回動させる第１回動機構と、第１方向に略直交する方向である第２方向を回動の軸方向として反射部材を回動させる第２回動機構とを備え、第１回動機構は、第１駆動用磁石と第１駆動用コイルとを備える磁気駆動機構であり、第２回動機構は、第２駆動用磁石と第２駆動用コイルとを備える磁気駆動機構であり、第１方向は、反射面の法線方向に略直交する方向であり、第２方向は、光源の光軸方向に略直交する方向であり、第１駆動用磁石と第１駆動用コイルとは、第１方向と第２方向とに略直交する方向である第３方向で対向し、第２駆動用磁石と第２駆動用コイルとは、第２方向で対向し、第１回動機構と第２回動機構とは、第２方向および第３方向において互いにずれていることを特徴とする。
【０００７】
本発明の照明装置は、所定の第１方向を回動の軸方向として反射部材を回動させる第１回動機構と、第１方向に略直交する方向である第２方向を回動の軸方向として反射部材を回動させる第２回動機構とを備えている。そのため、第１回動機構による反射部材の回動動作と、第２回動機構による反射部材の回動動作との組合せによって、光源から射出され反射部材で反射された光を任意の方向へ照射することが可能になる。すなわち、本発明では、反射部材、第１回動機構および第２回動機構を用いて光源からの光を任意の方向へ照射することが可能になる。
【０００８】
また、本発明では、第１回動機構および第２回動機構が磁気駆動機構であるため、第１回動機構および第２回動機構がカム等を用いた機械的な駆動機構である場合と比較して、第１回動機構および第２回動機構の構成を簡素化して、第１回動機構および第２回動機構を小型化することが可能になる。
【０００９】
また、本発明では、第１方向は、平面状に形成される反射面の法線方向に略直交する方向であり、第２方向は、光源の光軸方向に略直交する方向であるため、光源からの光を目標とする方向へ照射する際の、第１回動機構の回動量および第２回動機構の回動量の制御が容易になる。
【００１０】
また、本発明では、第１駆動用磁石と第１駆動用コイルとは、第１方向と第２方向とに略直交する方向である第３方向で対向し、第２駆動用磁石と第２駆動用コイルとは、第２方向で対向しているため、比較的簡易な構成で、第１回動機構と第２回動機構との磁気干渉を抑制することが可能になる。
【００１１】
本発明において、照明装置は、たとえば、第１方向を回動の軸方向とする反射部材の回動が可能となるように反射部材を保持する支持体と、第２方向を回動の軸方向とする支持体の回動が可能となるように支持体を保持する保持体とを備えている。また、本発明において、たとえば、第１駆動用磁石は、反射部材に取り付けられ、第１駆動用コイルおよび第２駆動用磁石は、支持体に取り付けられ、第２駆動用コイルは、保持体に取り付けられている。この場合には、第２方向を軸方向として回動する支持体に第２駆動用コイルが取り付けられている場合と比較して、第２駆動用コイルのコイル端部の引き回し処理が容易になる。
【００１２】
本発明において、第１方向を回動の軸方向とする反射部材の回動中心である第１回動中心の軸線は、反射部材を通過することが好ましい。また、本発明において、第１回動中心の軸線は、反射部材の略中心を通過することがより好ましい。このように構成すると、第１方向を軸方向とする反射部材の回動可能角度が一定である場合の、反射部材の変位量を小さくすることが可能になる。したがって、照明装置の他の構成部品を反射部材に近づけても、回動する反射部材と他の構成部品との干渉を防止することが可能になり、その結果、照明装置を小型化することが可能になる。
【００１３】
本発明において、第２方向を回動の軸方向とする反射部材の回動中心である第２回動中心の軸線は、反射部材を通過することが好ましい。また、本発明において、第２回動中心の軸線は、反射部材の略中心を通過することが好ましい。このように構成すると、第２方向を軸方向とする反射部材の回動可能角度が一定である場合の、反射部材の変位量を小さくすることが可能になる。したがって、照明装置の他の構成部品を反射部材に近づけても、回動する反射部材と他の構成部品との干渉を防止することが可能になり、その結果、照明装置を小型化することが可能になる。
【００１４】
本発明において、照明装置は、支持体に対する反射部材の原点位置へ反射部材を付勢する第１付勢部材と、保持体に対する支持体の原点位置へ支持体を付勢する第２付勢部材とを備えることが好ましい。このように構成すると、第１駆動用コイルおよび第２駆動用コイルに電流が供給されていない状態でも、反射部材を所定の基準姿勢に保つことが可能になり、光源からの光を所定の基準方向へ照射することが可能になる。
【００１５】
本発明において、反射部材には、第１方向の両側へ突出して支持体に回動可能に支持される第１支持軸が形成され、第１付勢部材は、第１支持軸が挿通されるとともに、その一端側が反射部材に係合し、かつ、その他端側が支持体に係合するネジリコイルバネであることが好ましい。このように構成すると、第１付勢部材の構成を簡素化することが可能になる。
【００１６】
本発明において、保持体には、支持体を回動可能に支持する第２支持軸が形成され、第２付勢部材は、その中間部分が第２支持軸に保持され、その両端側が支持体に係合する板バネであることが好ましい。このように構成すると、第２付勢部材の構成を簡素化することが可能になる。
【００１７】
本発明において、照明装置は、光源と反射部材との間に配置されるレンズと、レンズを光軸方向へ移動させる直動機構とを備え、直動機構は、第３駆動用磁石と第３駆動用コイルとを備える磁気駆動機構であることが好ましい。このように構成すると、直動機構によってレンズを光軸方向へ移動させることで、光源からの光の指向性を変えることが可能になる。また、このように構成すると、直動機構が磁気駆動機構であるため、直動機構が機械的な駆動機構である場合と比較して、直動機構の構成を簡素化して、直動機構を小型化することが可能になる。
【発明の効果】
【００１８】
以上のように、本発明の照明装置では、光源からの光を任意の方向へ照射することが可能になる。
【図面の簡単な説明】
【００１９】
【図１】本発明の実施の形態１にかかる照明装置の斜視図である。
【図２】図１に示す照明装置の平面図である。
【図３】図１に示す照明装置の分解斜視図である。
【図４】図２のＥ−Ｅ断面の断面図である。
【図５】図１に示す支持体を下面側から示す斜視図である。
【図６】本発明の実施の形態２にかかる照明装置の斜視図である。
【図７】図６に示す照明装置の平面図である。
【図８】図６に示す照明装置の分解斜視図である。
【図９】図７のＦ−Ｆ断面の断面図である。
【発明を実施するための形態】
【００２０】
以下、図面を参照しながら、本発明の実施の形態を説明する。
【００２１】
［実施の形態１］
（照明装置の構成）
図１は、本発明の実施の形態１にかかる照明装置１の斜視図である。図２は、図１に示す照明装置１の平面図である。図３は、図１に示す照明装置１の分解斜視図である。図４は、図２のＥ−Ｅ断面の断面図である。図５は、図１に示す支持体４を下面側から示す斜視図である。
【００２２】
本形態の照明装置１は、携帯電話等のカメラ付きの携帯機器に搭載される比較的小型の照明装置である。この照明装置１は、光源を有する光源部２と、光源からの光を反射する反射面３ａを有する反射部材３とを備えている。本形態の光源は、ＬＥＤである。また、本形態の反射面３ａは、平面状に形成されている。以下の説明では、図１〜図４に示すように、互いに直交する３方向のそれぞれをＸ方向、Ｙ方向およびＺ方向とし、Ｘ方向を左右方向、Ｙ方向を前後方向、Ｚ方向を上下方向とする。また、Ｘ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００２３】
光源部２は、照明装置１の前面側に配置されており、光源は、後ろ側に向かって光を射出する。すなわち、本形態の前後方向は、光源の光軸方向である。光源から射出された光は、反射部材３において、略上側に向かって反射される。
【００２４】
また、照明装置１は、反射面３ａの法線ｎ（図４参照）の方向（法線方向）に略直交する方向である第１方向を回動の軸方向とする反射部材３の回動が可能となるように反射部材３を保持する支持体４と、上下方向を回動の軸方向とする支持体４の回動が可能となるように支持体４を保持する保持体５と、第１方向を回動の軸方向として反射部材３を回動させる第１回動機構としての回動機構６と、上下方向を回動の軸方向として支持体４とともに反射部材３を回動させる第２回動機構としての回動機構７とを備えている。第１方向は、上下方向と略直交する方向であり、支持体４の回動範囲において、第１方向と左右方向とが一致する箇所がある。本形態の上下方向は、第１方向に略直交する方向である第２方向である。また、第１方向と第２方向とに直交する方向は、第３方向である。なお、図５におけるＶ方向は、第１方向であり、図５におけるＷ方向は、第３方向である。
【００２５】
また、照明装置１は、支持体４に対する反射部材３の原点位置へ反射部材３を付勢する第１付勢部材としてのネジリコイルバネ８と、保持体５に対する支持体４の原点位置へ支持体４を付勢する第２付勢部材としての板バネ９と、前後方向において、光源と反射部材３との間に配置されるレンズ１０と、レンズ１０を前後方向へ移動させる直動機構１１とを備えている。
【００２６】
保持体５は、上面が開口する略直方体の箱状に形成されている。保持体５の下面部５ａの略中心には、支持体４を回動可能に支持する第２支持軸としての支持軸５ｂが形成されている。支持軸５ｂは、下面部５ａから上側へ向かって突出するように形成されている。また、支持軸５ｂは、下側に配置される略円柱状の大径部５ｃと、大径部５ｃの上側に配置されるとともに大径部５ｃよりも外径の小さな略円柱状の小径部５ｄとによって構成されている。小径部５ｄは、大径部５ｃ上面の中心から上側へ突出するように形成されており、大径部５ｃの上面の、小径部５ｄの周りには、円環状の段差面５ｅが形成されている。
【００２７】
支持軸５ｂには、左右方向へ貫通するスリット５ｆが形成されている。スリット５ｆは、支持軸５ｂの上端面（すなわち、小径部５ｄの上端面）から上下方向における支持軸５ｂのほぼ全域に形成されている。スリット５ｆの上端側は、上方向に向かうにしたがって、前後方向へ広がるように傾斜する傾斜面５ｇとなっている。
【００２８】
支持体４は、支持体４の下面を構成する下面部４ａと、第１方向における下面部４ａの両端側のそれぞれから上側に向かって立ち上る２個の側面部４ｂとを備えている。下面部４ａは、図５に示すように、略長方形の平板状に形成されるベース部４ｃと、ベース部４ｃから略後ろ側へ突出する２個の磁石固定部４ｄとを備えている。
【００２９】
ベース部４ｃには、上下方向へ貫通する略円形の貫通孔４ｅが形成されている。貫通孔４ｅは、第１方向において、ベース部４ｃの略中心に形成されるとともに、第３方向において、ベース部材４ｃの中心よりも略前側に形成されている。この貫通孔４ｅには、図４に示すように、保持体５の小径部５ｄが挿入されており、ベース部４ｃの下面の、貫通孔４ｅの周りは、段差面５ｅに当接している。
【００３０】
また、ベース部４ｃの下面には、下側へ向かって突出する略円柱状の２個の突起部４ｆが形成されている。２個の突起部４ｆは、第１方向におけるベース部４ｃの両端側のそれぞれに形成されている。また、２個の突起部４ｆは、第３方向において、貫通孔４ｅと略同じ位置に形成されている。
【００３１】
磁石固定部４ｄは、略長方形状の平板状に形成されている。また、２個の磁石固定部４ｄは、第１方向に所定の間隔をあけた状態で形成されている。磁石固定部４ｄには、上下方向へ貫通する貫通孔４ｇが形成されている。上下方向から見たときの貫通孔４ｇは、略長方形状となっている。
【００３２】
側面部４ｂは、第１方向に略直交する平板状に形成されている。また、側面部４ｂは、第１方向におけるベース部４ｃの両端側のそれぞれから立ち上るように形成されている。側面部４ｂには、第３方向の一方側から他方側に向かうにしたがって（具体的には、略後ろ側から略前側に向かうにしたがって）下方向へ傾斜する傾斜部４ｈが形成されており、第１方向から見たときの側面部４ｂの形状は、略五角形状となっている。また、側面部４ｂには、傾斜部４ｈの上端から下側へ窪む略Ｕ形状の切欠き部４ｊが形成されている。
【００３３】
反射部材３は、略平板状に形成されている。反射面３ａは、反射部材３の一方の面に形成されている。本形態の反射部材３は、たとえば、樹脂材料で形成されており、反射部材３の一方の面にメッキや蒸着等を行うことで、反射面３ａが形成されている。反射部材３は、反射面３ａが略斜め前上方を向くように、支持体４に支持されている。また、反射部材３は、第１方向から見たときの形状が略等脚台形状となるように形成されており、反射面３ａに略平行な裏面３ｂと、第１方向から見たときに反射面３ａおよび裏面３ｂに対して傾斜する２個の傾斜面３ｃを備えている。なお、反射部材３は、金属板によって形成されても良い。
【００３４】
反射部材３には、第１方向の両外側へ突出する第１支持軸としての支持軸３ｄが形成されている。支持軸３ｄは、略円柱状に形成されている。この支持軸３ｄは、支持体４の側面部４ｂの切欠き部４ｊの中に配置されており、支持体４に回動可能に支持されている。
【００３５】
ネジリコイルバネ８には、一方の支持軸３ｄが挿通されている。ネジリコイルバネ８の一端側は、第１方向の内側に向かって折れ曲がっており、反射部材３の裏面３ｂに接触している。ネジリコイルバネ８の他端側は、下側に向かって折れ曲がった後、さらに、第１方向の内側に向かって折れ曲がっており、２個の磁石固定部４ｄのうちの一方の磁石固定部４ｄの下面に接触している。すなわち、ネジリコイルバネ８の一端側は、反射部材３に係合し、ネジリコイルバネ８の他端側は、支持体４に係合している。
【００３６】
本形態では、たとえば、反射面３ａの法線方向が上下方向に対して４５°傾いた位置が支持体４に対する反射部材３の原点位置であり、反射部材３は、この原点位置を中心にして、１５°程度、回動可能となっている。反射部材３が原点位置にあるときには、ネジリコイルバネ８の付勢力は反射部材３に作用していない。一方、反射部材３が原点位置から支持軸３ｄを中心にして図４の反時計回りの方向（反時計方向）へ回動すると、ネジリコイルバネ８による図４の時計回りの方向（時計方向）への付勢力が反射部材３に作用し、反射部材３が原点位置から支持軸３ｄを中心にして図４の時計方向へ回動すると、ネジリコイルバネ８による図４の反時計方向への付勢力が反射部材３に作用する。すなわち、反射部材３が原点位置から反時計方向または時計方向へ回動すると、反射部材３には、原点位置に戻す方向への付勢力が作用する。
【００３７】
板バネ９は、細長い帯状の金属部材が所定形状に折り曲げられることで形成されており、図３に示すように、保持体５の支持軸５ｂのスリット５ｆに保持される保持部９ａと、保持部９ａの両端側から伸びるバネ部９ｂとを備えている。バネ部９ｂの先端側（すなわち、板バネ９の両端側）には、支持体４のベース部４ｃの突起部４ｆが挿通される円環状の係合部９ｃが形成されている。このように、板バネ９は、その中間部分である保持部９ａが支持軸５ｂに保持され、その両端側が支持体４に係合している。
【００３８】
本形態では、第１方向と左右方向とが一致する位置が保持体５に対する支持体４の原点位置であり、支持体４は、この原点位置を中心にして、１５°程度、回動可能となっている。支持体４が原点位置にあるときには、板バネ９の付勢力は支持体４に作用していない。一方、支持体４が原点位置から支持軸５ｂを中心にして図２の反時計回りの方向（反時計方向）へ回動すると、板バネ９による図２の時計回りの方向（時計方向）への付勢力が支持体４に作用し、支持体４が原点位置から支持軸５ｂを中心にして図２の時計方向へ回動すると、板バネ９による図２の反時計方向への付勢力が支持体４に作用する。すなわち、支持体４が原点位置から反時計方向または時計方向へ回動すると、支持体４には、原点位置に戻す方向への付勢力が作用する。
【００３９】
上述のように、支持軸３ｄは、反射部材３の第１方向の両外側へ突出するように形成されており、支持軸３ｄの軸線（軸中心線）Ｌ１は、反射部材３を通過している。すなわち、第１方向を回動の軸方向とする反射部材３の回動中心の軸線Ｌ１は、反射部材３を通過している。具体的には、軸線Ｌ１は、反射部材３の中心（より具体的には、形状中心）Ｃの近傍を通過している。また、本形態では、支持軸５ｂの軸線（軸中心線）Ｌ２は、図４に示すように、反射部材３を通過している。すなわち、上下方向を回動の軸方向とする反射部材３の回動中心の軸線Ｌ２は、反射部材３を通過している。具体的には、軸線Ｌ２は、反射部材３の中心Ｃの近傍を通過している。
【００４０】
回動機構６は、第１駆動用磁石としての駆動用磁石１４と、第１駆動用コイルとしての駆動用コイル１５とを備えている。すなわち、回動機構６は、磁気駆動機構（より具体的には、電磁気駆動機構）である。駆動用磁石１４は、第１方向に細長い略直方体状に形成されている。この駆動用磁石１４は、反射部材３の２個の傾斜面３ｃのうちの上側に形成される傾斜面３ｃに固定されている。第３方向における駆動用磁石１４の一方の面（具体的には、後ろ側に配置される面）１４ａは、第３方向における支持体４の側面部４ｂの一方の端面（具体的には、後ろ側に配置される端面）４ｋよりも第１方向の他方側（具体的には、略前側）に配置されている。駆動用磁石１４は、第３方向における一方側の面の磁極と他方側の面の磁極とが異なる磁極となるように着磁されている。
【００４１】
駆動用コイル１５は、第１方向に細長い略長方形状に導線が巻回されることで形成された空芯コイルであり、互いに平行な２個の長辺部１５ａを備えている。２個の長辺部１５ａは、上下方向に所定の間隔をあけた状態で配置されている。また、駆動用コイル１５は、扁平形状に形成されている。この駆動用コイル１５は、第３方向における側面部４ｂの一方の端面４ｋに固定されている。具体的には、駆動用コイル１５は、第３方向とその扁平方向とが略一致するように、側面部４ｂの一方の端面４ｋに固定されている。駆動用磁石１４と駆動用コイル１５とは、所定の隙間を介して第３方向で対向している。具体的には、上側に配置される長辺部１５ａと駆動用磁石１４とが所定の隙間を介して第３方向で対向している。
【００４２】
回動機構７は、第２駆動用磁石としての２個の駆動用磁石１６と、第２駆動用コイルとしての駆動用コイル１７とを備えている。すなわち、回動機構７は、磁気駆動機構（より具体的には、電磁気駆動機構）である。駆動用磁石１６は、略直方体状に形成されている。この駆動用磁石１６は、支持体４の磁石固定部４ｄの貫通孔４ｇの中に固定されている。駆動用磁石１６は、上面の磁極と下面の磁極とが異なる磁極となるように着磁されている。また、駆動用磁石１６は、２個の駆動用磁石１６のうちの一方の駆動用磁石１６の下面の磁極と、他方の駆動用磁石１６の下面の磁極とが異なる磁極となるように着磁されている。
【００４３】
駆動用コイル１７は、左右方向に細長い略長方形状に導線が巻回されることで形成された空芯コイルであり、互いに平行な２個の長辺部１７ａを備えている。２個の長辺部１７ａは、前後方向に所定の間隔をあけた状態で配置されている。また、駆動用コイル１７は、扁平形状に形成されている。この駆動用コイル１７は、保持体５の下面部５ａの上面に固定されている。具体的には、駆動用コイル１７は、上下方向とその扁平方向とが略一致するように、下面部５ａの上面の後端側に固定されている。駆動用磁石１６と駆動用コイル１７とは、所定の隙間を介して上下方向で対向している。具体的には、前側に配置される長辺部１７ａと駆動用磁石１６とが所定の隙間を介して上下方向で対向している。
【００４４】
光源部２は、光源であるＬＥＤが実装される基板を備えている。この光源部２は、保持体５の前側面５ｈの後面に固定されている。レンズ１０は、略長方形の平板状に形成されるレンズホルダ２０の略中心に固定されている。前側面５ｈには、後ろ側へ突出する４本のガイド軸２１が固定されている。このガイド軸２１は、略円柱状に形成されている。また、ガイド軸２１は、レンズホルダ２０の四隅に形成されるガイド孔２０ａに挿通されている。レンズホルダ２０に固定されるレンズ１０は、ガイド軸２１に沿って前後方向へ移動可能となっている。
【００４５】
直動機構１１は、第３駆動用磁石としての駆動用磁石２２と、第３駆動用コイルとしての駆動用コイル２３とを備えている。すなわち、直動機構１１は、磁気駆動機構（より具体的には、電磁気駆動機構）である。駆動用磁石２２は、左右方向に細長い略長方形の平板状に形成されている。この駆動用磁石２２は、レンズホルダ２０の下端面に固定されている。駆動用磁石２２は、上面の磁極と下面の磁極とが異なる磁極となるように着磁されている。
【００４６】
駆動用コイル２３は、駆動用コイル１７と同様に形成されており、互いに平行な２個の長辺部２３ａを備えている。駆動用コイル２３は、駆動用コイル１７と同様に、上下方向とその扁平方向とが略一致するように、保持体５の下面部５ａの上面に固定されている。具体的には、駆動用コイル２３は、下面部５ａの上面の前端側に固定されている。駆動用磁石２２と駆動用コイル２３とは、所定の隙間を介して上下方向で対向している。具体的には、前側に配置される長辺部２３ａと駆動用磁石２２とが所定の隙間を介して上下方向で対向している。
【００４７】
以上のように構成された照明装置１では、駆動用コイル１５に電流が供給されると、軸線Ｌ１を中心にして、反射部材３が回動する。また、駆動用コイル１７に電流が供給されると、軸線Ｌ２を中心にして、支持体４が反射部材３と一緒に回動する。また、駆動用コイル２３に電流が供給されると、レンズホルダ２０がレンズ１０とともに前後方向へ移動する。
【００４８】
（本形態の主な効果）
以上説明したように、本形態の照明装置１は、第１方向を回動の軸方向として反射部材３を回動させる回動機構６と、上下方向を回動の軸方向として反射部材３を回動させる回動機構７とを備えている。そのため、回動機構６による反射部材３の回動動作（パン動作）と、回動機構７による反射部材３の回動動作（チルト動作）との組合せによって、光源から射出され反射部材３で反射された光を任意の方向へ照射することが可能になる。すなわち、本形態では、反射部材３および回動機構６、７を用いて光源からの光を任意の方向へ照射することが可能になる。
【００４９】
本形態では、反射部材３の反射面３ａは、平面状に形成されており、回動機構６は、反射面３ａの法線方向に略直交する方向である第１方向を回動の軸方向として反射部材３を回動させている。また、本形態では、回動機構７は、光源の光軸方向である前後方向に直交するとともに第１方向に略直交する方向である上下方向を回動の軸方向として反射部材３を回動させている。そのため、本形態では、光源からの光を目標とする方向へ照射する際の、回動機構６の回動量および回動機構７の回動量の制御が容易になる。
【００５０】
本形態では、駆動用磁石１４と駆動用コイル１５とは、第３方向で対向し、かつ、駆動用磁石１６と駆動用コイル１７とは、上下方向で対向している。そのため、回動機構６と回動機構７との間に回動機構６と回動機構７との磁気干渉を抑制するための壁等を設けなくても、回動機構６と回動機構７との磁気干渉を抑制することが可能になる。また、本形態では、駆動用磁石１６が回動する支持体４に取り付けられ、駆動用コイル１７が回動しない保持体５に取り付けられているため、駆動用コイル１７が支持体４に取り付けられ、駆動用磁石１６が保持体５に取り付けられている場合と比較して、駆動用コイル１７のコイル端部の引き回し処理が容易になる。
【００５１】
本形態では、第１方向を回動の軸方向とする反射部材３の回動中心の軸線ＣＬ１は、反射部材３の中心Ｃの近傍を通過している。そのため、第１方向を回動の軸方向とする反射部材３の回動可能角度が一定であれば、回動する反射部材３の変位量を小さくすることが可能になる。また、本形態では、上下方向を回動の軸方向とする反射部材３の回動中心の軸線Ｌ２は、反射部材３の中心Ｃの近傍を通過している。そのため、上下方向を回動の軸方向とする反射部材３の回動可能角度が一定であれば、回動する反射部材３の変位量を小さくすることが可能になる。したがって、本形態では、照明装置１の他の構成部品を反射部材３に近づけても、回動する反射部材３と他の構成部品との干渉を防止することが可能になる。その結果、本形態では、照明装置１を小型化することが可能になる。なお、軸線ＣＬ１、ＣＬ２が、反射部材３の中心Ｃを通過していれば、回動する反射部材３の変位量をより小さくすることが可能になり、その結果、照明装置１をより小型化することが可能になる。
【００５２】
本形態では、照明装置１は、支持体４に対する反射部材３の原点位置へ反射部材３を付勢するネジリコイルバネ８と、保持体５に対する支持体４の原点位置へ支持体４を付勢する板バネ９とを備えている。そのため、本形態では、駆動用コイル１５、１７に電流が供給されていない状態でも、反射部材３を所定の基準姿勢に保つことが可能になり、その結果、光源からの光を所定の基準方向へ照射することが可能になる。
【００５３】
本形態の照明装置１は、光源と反射部材３との間に配置されるレンズ１０を前後方向へ移動させる直動機構１１を備えている。そのため、本形態では、直動機構１１によってレンズ１０を光軸方向へ移動させることで、照明装置１からの光の指向性を変えることが可能になる。
【００５４】
本形態では、回動機構６、７および直動機構１１は、磁気駆動機構である。そのため、回動機構６、７および直動機構１１がカム等を用いた機械的な駆動機構である場合と比較して、回動機構６、７および直動機構１１の構成を簡素化することが可能になる。したがって、本形態では、回動機構６、７および直動機構１１を小型化して、照明装置１を小型化することが可能になる。
【００５５】
［実施の形態２］
（照明装置の構成）
図６は、本発明の実施の形態２にかかる照明装置５１の斜視図である。図７は、図６に示す照明装置５１の平面図である。図８は、図６に示す照明装置５１の分解斜視図である。図９は、図７のＦ−Ｆ断面の断面図である。
【００５６】
本形態の照明装置５１は、実施の形態１の照明装置１と同様に、携帯電話等のカメラ付きの携帯機器に搭載される比較的小型の照明装置であり、上述の光源部２と、光源からの光を反射する反射面５３ａを有する反射部材５３とを備えている。本形態の反射面５３ａも、平面状に形成されている。実施の形態１と同様に、以下の説明では、互いに直交する３方向のそれぞれをＸ方向、Ｙ方向およびＺ方向とし、Ｘ方向を左右方向、Ｙ方向を前後方向、Ｚ方向を上下方向とする。また、Ｘ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。
【００５７】
光源部２は、照明装置５１の前面側に配置されており、光源は、後ろ側に向かって光を射出する。すなわち、前後方向は、光源の光軸方向である。光源から射出された光は、反射部材５３において、略上側に向かって反射される。なお、図８、図９では、光源部２の図示を省略している。
【００５８】
また、照明装置５１は、反射部材５３が固定される回動体６２と、反射面５３ａの法線ｎ（図９参照）の方向（法線方向）に略直交するである第１方向を回動の軸方向とする回動体６２の回動が可能となるように回動体６２を保持する支持体５４と、上下方向を回動の軸方向とする支持体５４の回動が可能となるように支持体５４を回動可能に保持する保持体５５と、第１方向を回動の軸方向として回動体６２とともに反射部材５３を回動させる第１回動機構としての回動機構５６と、上下方向を回動の軸方向として支持体５４とともに回動体６２および反射部材５３を回動させる第２回動機構としての回動機構５７とを備えている。第１方向は、上下方向と略直交する方向であり、支持体５４の回動範囲において、第１方向と左右方向とが一致する箇所がある。実施の形態１と同様に、上下方向は、第１方向に略直交する方向である第２方向である。また、第１方向と第２方向とに直交する方向は、第３方向である。なお、図９では、保持体５５の図示を省略している。
【００５９】
また、照明装置５１は、支持体５４に対する回動体６２の原点位置へ回動体６２を付勢する第１付勢部材（図示省略）と、保持体５５に対する支持体５４の原点位置へ支持体５４を付勢する第２付勢部材（図示省略）とを備えている。さらに、照明装置５１は、前後方向において、光源と反射部材５３との間に配置されるレンズ６０と、レンズ６０を前後方向へ移動させる直動機構６１とを備えている。
【００６０】
回動体６２は、反射部材５３が固定される略長方形の平板状の反射部材固定部６２ａと、第１方向における反射部材固定部６２ａの両端から第３方向の一方側（具体的には、略後ろ側）向かって伸びる２個の側面部６２ｂとを備えている。反射部材固定部６２ａは、反射部材５３が固定される固定面６２ｃが略斜め前上方を向くように配置されている。側面部６２ｂには、回動体６２を回動可能に支持する支持軸６３が挿通される挿通孔６２ｄが第１方向で側面部６２ｂを貫通するように形成されている。回動体６２は、支持軸６３に対して回動可能となっている。
【００６１】
保持体５５は、保持体５と同様に形成されている。保持体５５の下面部５５ａの略中心には、支持体５４を回動可能に支持する支持軸５５ｂが形成されている。支持軸５５ｂは、保持体５の支持軸５ｂと同様に形成されている。すなわち、支持軸５５ｂは、大径部５ｃと同様の大径部５５ｃと、小径部５ｄと同様の小径部５５ｄとによって構成されており、大径部５５ｃの上面の、小径部５５ｄの周りには、段差面５ｅと同様の段差面５５ｅが形成されている。
【００６２】
支持体５４は、支持体５４の下面を構成する下面部５４ａと、第１方向における下面部５４ａの両端側のそれぞれから上側に向かって立ち上る２個の側面部５４ｂと、第３方向の一端側（具体的には、略後ろ側）で２個の側面部５４ｂを繋ぐ後面部５４ｃとを備えている。
【００６３】
下面部５４ａは、略長方形の平板状に形成されている。下面部５４ａには、上下方向へ貫通する略円形の貫通孔５４ｅが形成されている。貫通孔５４ｅは、第１方向において、下面部５４ａの略中心に形成されるとともに、第３方向において、下面部５４ａの中心よりも略前側に形成されている。この貫通孔５４ｅには、保持体５５の小径部５５ｄが挿入されており、下面部５４ａの下面の、貫通孔５４ｅの周りは、段差面５５ｅに当接している。
【００６４】
側面部５４ｂは、第１方向に略直交する平板状に形成されている。また、側面部５４ｂは、第１方向における下面部５４ａの両端側のそれぞれから立ち上るように形成されている。側面部５４ｂには、第３方向の一方側から他方側に向かうにしたがって（具体的には、略後ろ側から略前側に向かうにしたがって）下方向へ傾斜する傾斜部５４ｈが形成されており、第１方向から見たときの側面部５４ｂの形状は、略五角形状となっている。この側面部５４ｂには、支持軸６３の端部が固定されている。なお、支持軸６３は、回動体６２に固定されるとともに、側面部５４ｂに回動可能に支持されても良い。
【００６５】
反射部材５３は、略長方形の平板状に形成されている。反射面５３ａは、反射部材５３の一方の面に形成されている。反射部材３と同様に、反射部材５３も、たとえば、樹脂材料で形成されており、反射部材５３の一方の面にメッキや蒸着等を行うことで、反射面５３ａが形成されている。反射部材５３は、反射面５３ａが略斜め前上方を向くように、回動体６２の反射部材固定部６２ａの固定面６２ｃに固定されている。
【００６６】
実施の形態１と同様に、本形態でも、たとえば、反射面５３ａの法線方向が上下方向に対して４５°傾いた位置が支持体５４に対する反射部材５３および回動体６２の原点位置であり、反射部材５３および回動体６２は、この原点位置を中心にして、１５°程度、回動可能となっている。反射部材５３および回動体６２が原点位置にあるときには、第１付勢部材の付勢力は回動体６２に作用していない。一方、反射部材５３および回動体６２が原点位置から支持軸６３を中心にして図９の反時計方向へ回動すると、第１付勢部材による図９の時計方向への付勢力が回動体６２に作用し、反射部材５３および回動体６２が原点位置から支持軸６３を中心にして図９の時計方向へ回動すると、第１付勢部材による図９の反時計方向への付勢力が回動体６２に作用する。すなわち、反射部材５３および回動体６２が原点位置から反時計方向または時計方向へ回動すると、回動体６２には、原点位置に戻す方向への付勢力が作用する。
【００６７】
また、実施の形態１と同様に、本形態でも、第１方向と左右方向とが一致する位置が保持体５５に対する支持体５４の原点位置であり、支持体５４は、この原点位置を中心にして、１５°程度、回動可能となっている。支持体５４が原点位置にあるときには、第２付勢部材の付勢力は支持体５４に作用していない。一方、支持体５４が原点位置から支持軸５５ｂを中心にして図７の反時計方向へ回動すると、第２付勢部材による図７の時計方向への付勢力が支持体５４に作用し、支持体５４が原点位置から支持軸５５ｂを中心にして図７の時計方向へ回動すると、第２付勢部材による図７の反時計方向への付勢力が支持体５４に作用する。すなわち、支持体５４が原点位置から反時計方向または時計方向へ回動すると、支持体５４には、原点位置に戻す方向への付勢力が作用する。
【００６８】
回動機構５６は、第１駆動用磁石としての駆動用磁石６４と、第１駆動用コイルとしての２個の駆動用コイル６５とを備えている。すなわち、回動機構５６は、磁気駆動機構（より具体的には、電磁気駆動機構）である。駆動用磁石６４は、第１方向を軸方向とする略半円柱状に形成されており、図９に示すように、第３方向の一端側（具体的には、略後ろ側）に曲面６４ａを備えるとともに、第３方向の他端側（具体的には、略前側）に平面６４ｂを備えている。この駆動用磁石６４は、曲面６４ａが略後ろ側に配置されるように、回動体６２の２個の側面部６２ｂの、第３方向の一方側（具体的には、略後ろ側）の端面に固定されている。駆動用磁石６４は、曲面６４ａの磁極と平面６４ｂの磁極とが異なる磁極となるように着磁されている。
【００６９】
駆動用コイル６５は、第１方向に細長い略長方形状に導線が巻回されることで形成された空芯コイルであり、互いに平行な２個の長辺部６５ａを備えている。２個の長辺部６５ａは、上下方向に所定の間隔をあけた状態で配置されている。また、駆動用コイル６５は、扁平形状に形成されている。２個の駆動用コイル６５は、上下方向で重なるように、支持体５４の後面部５４ｃの略前側の側面５４ｊに固定されている。具体的には、２個の駆動用コイル６５は、第３方向とその扁平方向とが略一致するように、後面部５４ｃの略前側の側面５４ｊに固定されている。駆動用磁石６４と２個の駆動用コイル６５とは、所定の隙間を介して第３方向で対向している。具体的には、上側に配置される駆動用コイル６５の下側の長辺部６５ａおよび下側に配置される駆動用コイル６５の上側の長辺部６５ａと駆動用磁石６４の曲面６４ａとが所定の隙間を介して第３方向で対向している。
【００７０】
回動機構５７は、第２駆動用磁石としての駆動用磁石６６と、第２駆動用コイルとしての２個の駆動用コイル６７とを備えている。すなわち、回動機構５７は、磁気駆動機構（より具体的には、電磁気駆動機構）である。駆動用磁石６６は、上下方向を軸方向とする略半円柱状に形成されており、図７に示すように、第３方向の一端側（具体的には、略後ろ側）に曲面６６ａを備えるとともに、第３方向の他端側（具体的には、略前側）に平面６６ｂを備えている。この駆動用磁石６６は、曲面６６ａが略後ろ側に配置されるように、支持体５４の後面部５４ｃの略後ろ側の側面５４ｋに固定されている。駆動用磁石６６は、曲面６６ａの磁極と平面６６ｂの磁極とが異なる磁極となるように着磁されている。
【００７１】
駆動用コイル６７は、導線が略正方形状に巻回されることで形成された空芯コイルである。また、駆動用コイル６７は、扁平形状に形成されている。２個の駆動用コイル６７は、保持体５５の後側面５５ｇの前面に固定されている。具体的には、２個の駆動用コイル６７は、前後方向とその扁平方向とが略一致するように、かつ、左右方向で隣り合うように後側面５５ｇの前面に固定されている。また、２個の駆動用コイル６７は、略正方形状に巻回されて形成される駆動用コイル６７の４つの辺が左右方向または上下方向と略平行になるように、後側面５５ｇの前面に固定されている。駆動用磁石６６と２個の駆動用コイル６７とは、所定の隙間を介して前後方向で対向している。具体的には、左右方向の内側に配置される駆動用コイル６７の内側辺部６７ａと駆動用磁石６６の曲面６６ａとが所定の隙間を介して前後方向で対向している。
【００７２】
光源部２は、実施の形態１と同様に、保持体５５の前側面５５ｈの後面に固定されている。レンズ６０は、略長方形の平板状に形成されるレンズホルダ７０の略中心に固定されている。前側面５５ｈには、後ろ側へ突出するガイド軸（図示省略）が固定されている。このガイド軸は、レンズホルダ７０に形成されるガイド孔（図示省略）に挿通されており、レンズホルダ７０に固定されるレンズ６０は、ガイド軸に沿って前後方向へ移動可能となっている。
【００７３】
直動機構６１は、第３駆動用磁石としての２個の駆動用磁石７２と、第３駆動用コイルとしての２個の駆動用コイル７３とを備えている。すなわち、直動機構６１は、磁気駆動機構（より具体的には、電磁気駆動機構）である。駆動用磁石７２は、上下方向に細長い略長方形の平板状に形成されている。２個の駆動用磁石７２は、レンズホルダ７０の左右両端面のそれぞれに固定されている。駆動用磁石７２は、右側面の磁極と左側面の磁極とが異なる磁極となるように着磁されている。
【００７４】
駆動用コイル７３は、上下方向に長い略長方形状に導線が巻回されることで形成された空芯コイルであり、互いに平行な２個の長辺部７３ａを備えている。２個の長辺部７３ａは、前後方向に所定の間隔をあけた状態で配置されている。また、駆動用コイル７３は、扁平形状に形成されている。２個の駆動用コイル７３のそれぞれは、左右方向とその扁平方向とが略一致するように、保持体５５の左右の側面部５５ｊの内側面のそれぞれに固定されている。具体的には、駆動用コイル７３は、側面部５５ｊの内側面の前端側に固定されている。駆動用磁石７２と駆動用コイル７３とは、所定の隙間を介して左右方向で対向している。具体的には、前側に配置される長辺部７３ａと駆動用磁石７２とが所定の隙間を介して左右方向で対向している。
【００７５】
以上のように構成された照明装置５１では、駆動用コイル６５に電流が供給されると、回動体６２とともに反射部材５３が回動する。また、駆動用コイル６７に電流が供給されると、支持体５４が回動体６２および反射部材５３とともに回動する。また、駆動用コイル７３に電流が供給されると、レンズホルダ７０がレンズ６０とともに前後方向へ移動する。
【００７６】
（本形態の主な効果）
以上説明したように、本形態の照明装置５１は、第１方向を回動の軸方向として回動体６２とともに反射部材５３を回動させる回動機構５６と、上下方向を回動の軸方向として支持体５４とともに回動体６２および反射部材５３を回動させる回動機構５７とを備えている。そのため、本形態では、実施の形態１と同様に、回動機構５６による反射部材５３の回動動作（パン動作）と、回動機構５７による反射部材５３の回動動作（チルト動作）との組合せによって、光源から射出され反射部材５３で反射された光を任意の方向へ照射することが可能になる。
【００７７】
本形態では、反射部材５３の反射面５３ａは、平面状に形成されており、回動機構５６は、反射面５３ａの法線方向に略直交する方向である第１方向を回動の軸方向として反射部材５３を回動させている。また、本形態では、回動機構５７は、光源の光軸方向である前後方向に直交するとともに第１方向に略直交する方向である上下方向を回動の軸方向として反射部材５３を回動させている。そのため、本形態では、実施の形態１と同様に、光源からの光を目標とする方向へ照射する際の、回動機構５６の回動量および回動機構５７の回動量の制御が容易になる。
【００７８】
本形態では、照明装置５１は、支持体５４に対する回動体６２の原点位置へ反射部材５３を付勢する第１付勢部材と、保持体５５に対する支持体５４の原点位置へ支持体５４を付勢する第２付勢部材とを備えている。そのため、本形態では、実施の形態１と同様に、駆動用コイル６５、６７に電流が供給されていない状態でも、反射部材５３を所定の基準姿勢に保つことが可能になり、その結果、光源からの光を所定の基準方向へ照射することが可能になる。
【００７９】
本形態の照明装置５１は、光源と反射部材５３との間に配置されるレンズ６０を前後方向へ移動させる直動機構６１を備えている。そのため、本形態では、実施の形態１と同様に、直動機構６１によってレンズ６０を光軸方向へ移動させることで、照明装置５１からの光の指向性を変えることが可能になる。
【００８０】
本形態では、回動機構５６、５７および直動機構６１は、磁気駆動機構である。そのため、本形態では、実施の形態１と同様に、回動機構５６、５７および直動機構６１の構成を簡素化することが可能になり、その結果、回動機構５６、５７および直動機構６１を小型化して、照明装置５１を小型化することが可能になる。
【００８１】
［他の実施の形態］
上述した形態は、本発明の好適な形態の一例ではあるが、これに限定されるものではなく本発明の要旨を変更しない範囲において種々変形実施が可能である。
【００８２】
上述した形態では、回動機構７、５７は、上下方向を軸方向として反射部材３、５３を回動させている。この他にもたとえば、回動機構７、５７は、第１方向に対して略直交する方向を軸方向として反射部材３、５３を回動させるのであれば、上下方向に対して傾斜した方向を軸方向として反射部材３、５３を回動させても良い。また、上述した形態では、反射面３ａ、５３ａは、平面状に形成されているが、反射面３ａ、５３ａは、曲面状に形成されても良い。
【００８３】
上述した形態では、回動機構６、５６は、反射部材３、５３を回動させ、回動機構７、５７は、支持体４、５４等とともに反射部材３、５３を回動させている。この他にもたとえば、回動機構６、５６が支持体４、５４等とともに反射部材３、５３を回動させ、回動機構７、５７が反射部材３、５３を回動させるように、回動機構６、７、５６、５７が構成されても良い。
【００８４】
実施の形態１では、駆動用磁石１４は反射部材３に固定され、駆動用コイル１５は支持体４に固定されている。この他にもたとえば、駆動用磁石１４が支持体４に固定され、駆動用コイル１５が反射部材３に固定されても良い。同様に、実施の形態２では、駆動用磁石６４は回動体６２に固定され、駆動用コイル６５は支持体５４に固定されているが、駆動用磁石６４が支持体５４に固定され、駆動用コイル６５が回動体６２に固定されても良い。
【００８５】
実施の形態１では、駆動用磁石１６は支持体４に固定され、駆動用コイル１７は保持体５に固定されている。この他にもたとえば、駆動用磁石１６が保持体５に固定され、駆動用コイル１７が支持体４に固定されても良い。同様に、実施の形態２では、駆動用磁石６６は支持体５４に固定され、駆動用コイル６７は保持体５５に固定されているが、駆動用磁石６６が保持体５５に固定され、駆動用コイル６７が支持体５４に固定されても良い。
【００８６】
実施の形態１では、駆動用磁石１４と駆動用コイル１５とが第３方向で対向している。この他にもたとえば、第１方向または略上下方向で対向するように、駆動用磁石１４と駆動用コイル１５とが配置されても良い。同様に、実施の形態２では、駆動用磁石６４と駆動用コイル６５とが第３方向で対向しているが、第１方向または略上下方向で対向するように、駆動用磁石６４と駆動用コイル６５とが配置されても良い。また、実施の形態１では、駆動用磁石１６と駆動用コイル１７とが上下方向で対向し、実施の形態２では、駆動用磁石６６と駆動用コイル６７とが前後方向で対向しているが、左右方向で対向するように、駆動用磁石１６、６６と駆動用コイル１７、６７とが配置されても良い。
【００８７】
上述した形態では、レンズ１０、６０は、前後方向へ移動可能となっているが、レンズ１０、６０は、固定されていても良い。また、照明装置１、５１は、レンズ１０、６０を備えていなくても良い。また、光源部２が前後方向へ移動可能となっていても良い。
【００８８】
実施の形態１では、支持体４に対する反射部材３の原点位置へ反射部材３を付勢する第１付勢部材は、ネジリコイルバネ８であるが、第１付勢部材は、ネジリコイルバネ８以外のバネ部材であっても良いし、ゴム等の弾性部材であっても良い。また、実施の形態１では、保持体５に対する支持体４の原点位置へ支持体４を付勢する第２付勢部材は、板バネ９であるが、第２付勢部材は、板バネ９以外のバネ部材であっても良いし、ゴム等の弾性部材であっても良い。
【００８９】
上述した形態では、駆動用コイル１５、１７、２３、６５、６７、７３は、導線が巻回されることで形成された空芯コイルであるが、駆動用コイル１５、１７、２３、６５、６７、７３は、ＦＰコイル（ファインパターンコイル）であっても良い。
【符号の説明】
【００９０】
１、５１  照明装置
３、５３  反射部材
３ａ、５３ａ  反射面
３ｄ  支持軸（第１支持軸）
４、５４  支持体
５、５５  保持体
５ｂ  支持軸（第２支持軸）
６、５６  回動機構（第１回動機構）
７、５７  回動機構（第２回動機構）
８  ネジリコイルバネ（第１付勢部材）
９  板バネ（第２付勢部材）
１０、６０  レンズ
１１、６１  直動機構
１４、６４  駆動用磁石（第１駆動用磁石）
１５、６５  駆動用コイル（第１駆動用コイル）
１６、６６  駆動用磁石（第２駆動用磁石）
１７、６７  駆動用コイル（第２駆動用コイル）
２２、７２  駆動用磁石（第３駆動用磁石）
２３、７３  駆動用コイル（第３駆動用コイル）
Ｌ１  第１回動中心の軸線
Ｌ２  第２回動中心の軸線
Ｖ  第１方向
Ｗ  第３方向
Ｙ  光源の光軸方向
Ｚ  第２方向
ｎ  反射面の法線
【図１】
0005877039.tif 000002
【図２】
0005877039.tif 000003
【図３】
0005877039.tif 000004
【図４】
0005877039.tif 000005
【図５】
0005877039.tif 000006
【図６】
0005877039.tif 000007
【図７】
0005877039.tif 000008
【図８】
0005877039.tif 000009
【図９】
0005877039.tif 000010